(57)【特許請求の範囲】
【請求項１】
ピストンデッキの上面外周部にコルゲートプレートとそのプレートを支持する支持部材よりなるピストンフェンダーをリング状に立設し、ピストンデッキと側板との間をシールする可撓性シール材をピストンデッキの周縁部に設け、該ピストンデッキがガスの供給と排出により外殻本体内を昇降する乾式ガスホルダーであって、上記ピストンフェンダーを同心円入れ子式の多段に展開折畳み自在な構造に形成し、該同心円入れ子式の多段に展開折畳み自在な構造の各段のピストンフェンダーは、複数のコルゲートプレートをやや隙間をもたせて重ね合わせて摺動させ、かつ、このコルゲートプレートを支える支持部材は、複数の筒体部材又はコ状部材を遊嵌させて伸縮摺動させるようにし、各段一体の同心円筒体状に組み立てて複数段入れ子状の摺動構造に形成することを特徴とする乾式ガスホルダー。
【請求項２】
ピストンデッキの上面外周部にコルゲートプレートとそのプレートを支持する支持部材よりなるピストンフェンダーをリング状に立設し、ピストンデッキと側板との間をシールする可撓性シール材をピストンデッキの周縁部に設け、該ピストンデッキがガスの供給と排出により外殻本体内を昇降する乾式ガスホルダーであって、上記ピストンフェンダーを同心円入れ子式の多段に展開折畳み自在な構造に形成し、かつ該ピストンフェダーを展開させる吊上げ装置及びピストンフェンダーを折畳む収縮装置を設け、上記吊上げ装置は、ピストンフェンダー上端部に設けた滑車と、外殻本体外部の屋根上等に設けた滑車と、一方端を屋根に固定してこれらの滑車間に張設したワイヤと、ワイヤの他方端に取付けたカウンターウエイトとから形成し、このカウンターウエイトの荷重で、上記多段のピストンフェンダーを吊り引き上げて展開させるように形成し、また上記収縮装置は、ピストンフェンダー上端部に設けた係合片と、この係合片と対応する位置の外殻本体内上端部に設けたストッパーとから形成し、上記係合片をストッパーに当接させて、ガス圧によるピストンデッキの浮上力で上記多段のピスンフェンダーを押し下げ収縮させて折畳むように形成したことを特徴とする乾式ガスホルダー。
【発明の詳細な説明】
【０００１】
【発明の属する技術分野】
この発明は、ピストンフェンダーとシール材等を設けたピストンデッキが外殻本体内を昇降する可変容量の乾式ガスホルダーに関するものである。
【０００２】
【従来の技術】
乾式ガスホルダーの従来例を図３に示す。図は１段式の可変容量の乾式ガスホルダーの事例である。図中１２０は乾式ガスホルダーの外殻本体であり、底板１０１と、側板１０２と、屋根１０３とからなる直立円筒体状に形成されている。
この外殻本体１２０の内部に、円形浮体状の可動式ピストンデッキ１０４を備えている。
【０００３】
このピストンデッキ１０４の上面外周部にリング状にピストンフェンダー１０５を立設し、このピストンフェンダー１０５の下端外周部から側板１０２のほぼ３分の１高さ位置に筒体状にかけ渡して、合成ゴム製等の可撓性シート状のシール材１０６が取付けられている。このシール材１０６とピストンデッキ１０４とによって、ピストンデッキ１０４下部はガスを貯留する密封構造に形成されている。またピストンフェンダー１０５は、ガス圧を受けた筒体可撓性シート状のシール材１０６の膨らみを支えるコルゲートプレート１０８、つまりシール材１０６の長さ相当高さの波板等よりなる堰状のコルゲートプレート１０８と、このコルゲートプレート１０８を内側から支持する支柱１０９及び斜材１１０等からなる支持部材１１８で形成されている。
【０００４】
図３の２点鎖線は、乾式ガスホルダー内にガスが入っていない空の状態で、ピストンデッキ１０４が最低位置の底板１０１上に着座している状態を示す。また図３の実線は、乾式ガスホルダー内にガスが送られて満量となった状態で、ガス入口１０７から送られたガスの圧力によってピストンデッキ１０４が最高位置までリフトされている状態を示す。
【０００５】
図３の２点鎖線に示すピストンデッキ１０４が着座した状態で、ピストンデッキ１０４の下部にガス入口１０７からガスが供給されると、ピストンデッキ１０４は導入されたガスの圧力によって浮上を開始する。ガスの導入に従ってシール材１０６は、ピストンフェンダー１０５外面のコルゲートプレート１０８の外周面に押し付けられた状態で上方に摺動し、ピストンデッキ１０４は、ワイヤ１１１や滑車１１２等からなる平衡装置１１３によって水平が保持され、かつ所定のガス圧を保持しながら外殻本体１２０内を上昇し、図３の実線に示す最大上昇した最高位置で満量状態となる。またピストンデッキ１０４は、図示省略したガス排出口からのガスの排出により下降する。
【０００６】
【発明が解決しようとする課題】
図３に示すように従来の乾式ガスホルダーは、ガス満量時のピストンデッキ１０４が最大上昇した最高位置で、ピストンデッキ１０４の上面外周にリング状に立設したピストンフェンダー１０５の上端部が、屋根１０３に当たらないようになっている。この際に、従来例のピストンフェンダー１０５の高さはシール材１０６の長さに相当して高いため、この高さ相当分の範囲にわたってピストンデッキ１０４の上部にガスが収容されない大きい容積のデッドスペースｙが生じた。
このデッドスペースｙは、ガス収容空間ｘの約半分に相当する量、つまり外殻本体１２０全体容積のうち約３分の１の量を占めており、この大きな空間にガスが貯蔵できずに無駄になるという問題があった。また、ピストンフェンダー１０５の高さが高いために、外殻本体１２０の高さもその分だけ高くなり構築が大変で設備も大きくなるという問題も生じた。
【０００７】
また、ピストンデッキ上部のデッドスペースを少なくした乾式ガスホルダーの発明が、本出願人に係る特開平５−１８４９４号公報に開示されている。この従来の発明はＴフェンダーを有する多段乾式ガスホルダーに関するもので、シール材の取付構造及びピストンフェンダーとＴフェンダーの係合構造を配慮してピストンデッキ上部のデッドスペースを少なくしたものであるが、この従来の発明のピストンフェンダーも上方に高く突出しているため、この高さ相当分については依然としてピスンデッキ上部にデッドスペースが残存していた。
【０００８】
この発明は上述の課題を解決するためになされたもので、ガスが収容されないピストンデッキ上部のデッドスペースを少なくしてガス収容空間の有効容積比率を高くし、かつ外殻本体の高さを低くして経済性の高い乾式ガスホルダーを提供するものである。
【０００９】
【課題を解決するための手段】
請求項１の発明に係る乾式ガスホルダーは、ピストンデッキの上面外周部にコルゲートプレートとそのプレートを支持する支持部材よりなるピストンフェンダーをリング状に立設し、ピストンデッキとその外側に隔接した側板との間を密封シールする筒体状の可撓性シール材を円形のピストンデッキの周縁部に設け、該ピストンデッキがガスの供給と排出により外殻本体内を昇降する乾式ガスホルダーにおいて、上記ピストンフェンダーを同心円入れ子式の多段に展開折畳み自在な構造に形成したものである。
【００１０】
上記同心円入れ子式の多段に展開折畳み自在な構造の各段のピストンフェンダーは、複数のコルゲートプレートをやや隙間をもたせて重ね合わせて摺動させ、かつ、このコルゲートプレートを支える支持部材は、複数の筒体部材又はコ状部材を遊嵌させて伸縮摺動させるようにし、各段一体の同心円筒体状に組み立てて複数段入れ子状の摺動構造に形成する。
【００１１】
また、請求項２の発明に係る乾式ガスホルダーは、ピストンデッキの上面外周部にコルゲートプレートとそのプレートを支持する支持部材よりなるピストンフェンダーをリング状に立設し、ピストンデッキとその外側に隔接した側板との間を密封シールする筒体状の可撓性シール材を円形のピストンデッキの周縁部に設け、該ピストンデッキがガスの供給と排出により外殻本体内を昇降する乾式ガスホルダーにおいて、上記ピストンフェンダーを同心円入れ子式の多段に展開折畳み自在な構造に形成し、かつ該多段のピストンフェダーを展開させる吊上げ装置及び折畳む収縮装置を設けたものである。
【００１２】
上記吊上げ装置は、ピストンフェンダー上端部に設けた滑車と、外殻本体外部の屋根上等に設けた滑車と、一方端を屋根に固定してこれらの滑車間に張設したワイヤと、ワイヤの他方端に取付けたカウンターウエイトとから形成し、このカウンターウエイトの荷重で、上記多段のピストンフェンダーを吊り引き上げて展開させるようにする。
【００１３】
また上記収縮装置は、ピストンフェンダー上端部に設けた係合片と、この係合片と対応する位置の外殻本体内上端部に設けたストッパーとから形成し、上記係合片をストッパーに当接させて、ガス圧によるピストンデッキの浮上力で上記多段のピスンフェンダーを押し下げ収縮させて折畳むようにする。
【００１４】
【発明の実施の形態】
この発明に係る乾式ガスホルダーの実施形態例について、図面を参照して説明する。図１は、１段式の可変容量乾式ガスホルダーの場合の全体側断面説明図で、図２は、図１のピストンフェンダー部分の詳細を一部欠除して示した斜視説明図である。この図１及び図２は、ピストンフェンダー５を２段の展開折畳み自在な構造に形成した場合を示す。
【００１５】
乾式ガスホルダーの外殻本体２０は、円板状の底板１と筒体状の側板２とそれを覆うドーム状の屋根３とからなり、この乾式ガスホルダーの下部にガス入口７及び図示省略したガス出口を備える。また、乾式ガスホルダー外殻本体２０内部に、垂直方向に水平を維持しながら昇降自在なピストンデッキ４を設け、そのピストンデッキ４の上面外周にリング状にピストンフェンダー５を立設する。このピストンフェンダー５の外周下端に一方端を固定し他方端を側板２の内側中間部付近に固定した、合成ゴムなどの熱可塑性エラストマー等の材料よりなるシート状の可撓性シール材６を設け、ピストンデッキ４とシール材６の下部にガスを貯留する密封構造に形成する。
【００１６】
図１の２点鎖線は、ガスが入っていない状態でピストンデッキ４が最低位置の底板１上に着座し、かつピストンフェンダー５は展開している状態を示す。また図１の実線は、ピストンデッキ４の下部にガスが供給され浮上し、満杯になった状態でピストンデッキ４が最高位置まで上昇し、ピストンフェンダー５は折畳まれた状態を示している。
【００１７】
図１の実線で示すように、ピストンデッキ４上部のガスが収容されないデッドスペースＹは、ピストンフェンダー５が折畳まれて低くなっているため少なくなり、ガス収容空間Ｘの有効容積比率は高くなる。図示の２段にピストンフェンダー５を折畳むようにした場合、デッドスペースＹの容積は約半分に減少し、これは外殻本体２０の全体容積のうち約５分の１（従来は約３分の１）に相当する。
また、ピストンフェンダー５の高さが低くなるため、ガス収容量を少なくすることなく、乾式ガスホルダーの外殻本体２０の高さをその分だけ低くすることができる。
【００１８】
ピストンフェンダー５の展開折畳み自在な構造は、シール材の取付等を一部省略し簡略化して示した図２のように、リング状のピストンフェンダー５を円周方向に沿って上下に２分割し、上段ピストンフェンダー５Ａと下段ピストンフェンダー５Ｂの同心円入れ子式の鉛直方向２段に展開折畳み自在な構造に形成する。
その概略詳細は、外周の波板状のコルゲートプレート８を、上段コルゲートプレート８Ａと下段コルゲートプレート８Ｂで内外にやや隙間をもたせて重ね合わせて摺動自在にし、かつそれぞれを水平のアングル部材１７等で補強し、またコルゲートプレート８を支える垂直の支柱９及び斜材１０等の支持部材１８を、上段支柱９Ａと下段支柱９Ｂ等の２つに分離させ、上段支柱９Ａと下段支柱９Ｂを筒体部材又はコ状部材等で遊嵌状、かつ伸縮摺動自在に形成して、上下各段のピストンフェンダー５Ａ，５Ｂをそれぞれ一体の同心円筒体状に組み立てて、入れ子式に展開し、かつ折畳み自在な構造に形成する。なお、ピストンフェンダー５の下端部の取付部材１９には、図示省略したが、ボルトナット及び押え部材等の固定具を用いてシート状のシール材６の端部を固定する。
【００１９】
上述の展開折畳み自在な構造のピストンフェンダー５を、展開し折畳む装置の概略を図１及び図２に示す。図示例は、上記した展開折畳み自在な構造のピストンフェンダー５を上部から吊り引き上げて展開させる吊上げ装置２１と、展開したピストンフェンダー５の上部を押し下げて折畳む収縮装置２２を示したものである。
【００２０】
吊上げ装置２１は、図１及び図２に示すように、上段ピストンフェンダー５Ａの上端部に所定間隔をおいて複数個設けた吊り上げ用の滑車１２と、外殻本体２０の屋根３上に設置した複数の滑車１２と、一方端を屋根３に固定してこれらの滑車１２間に張設したワイヤ１１と、そのワイヤ１１の他方端に取付けたカウンターウエイト１３とから形成する。このカウンターウエイト１３の荷重をワイヤ１１とそのワイヤ１１を案内する滑車１２を介して上段ピストンフェンダー５Ａに伝え、上段ピストンフェンダー５Ａを上方に引っ張り、吊り上げて滑らかに展開させるようにする。
【００２１】
このように形成した吊上げ装置２１によって、ピストンフェンダー５は、大きな抵抗がなくカウンターウエイト１３の荷重で滑らか、かつ確実に展開されるので、展開した状態で膨らもうとする長いシール材６を支障なく安全に支え、ピストンデッキ４の円滑な昇降が行われる。
【００２２】
また収縮装置２２は、図１及び図２に示すように、上段ピストンフェンダー５Ａ上端部所定箇所に係合片１４を設け、外殻本体２０内の側板２から延出し、又は屋根３から下方に延出して、係合片１４の上端部位置に対応した位置にストッパー１５を設け、係合片１４がストッパー１５に当接して、ピストンデッキ４が最高位置に至る間に、ガス圧によるピストンデッキ４の浮上する力で、上段ピスンフェンダー５Ａを押し下げ収縮させて滑らかに折畳むようにする。また、外殻本体２０の外部側板２の所定箇所にウエイト支持架台１６を設け、係合片１４がストッパー１５に当接した時点で、上記吊上げ装置２１のカウンターウエイト１３をウエイト支持架台１６上に載置させ、荷重をウエイト支持架台１６で支えてワイヤ１１を緩め、上段ピストンフェンダー５Ａを引っ張る吊り上げ力を解除し、該上段ピストンフェンダー５Ａの自重等によって収縮する力を働かせて、ピストンフェンダー５の折畳みを容易にさせる。
【００２３】
このようにウエイト支持架台１６を設けた収縮装置２２は、ピストンデッキ４が最高位置に至る間に、ピストンデッキ４を押し上げるガス圧の力で上段ピストンフェンダー５Ａを押し下げて折畳むとともに、カウンターウエイト１３による引き上げ力を解除して、上段ピストンフェンダー５Ａの自重による押し下げの収縮力を働かせることができるので、大きな抵抗を生じず、強い力も必要とすることなく滑らかに安全確実に折畳まれ、最高位置付近でのピストンデッキ４は妨げられることなく円滑に上昇し、折畳みのためにガス圧を所定以上に高くする必要もない。
【００２４】
なお、上述した展開折畳み自在な構造のピストンフェンダー５を展開し折畳む装置は、簡便で安全確実な構造の吊上げ装置２１及び収縮装置２２の実施形態例を示しているが、スプリングバネ等を内蔵した装置（図示省略）、電気的や機械的に駆動する装置等の応答性に優れた構造の装置（図示省略）を採用してもよい。
【００２５】
また、この発明の乾式ガスホルダーの実施形態例は、展開折畳み自在なピストンフェンダー５を上下２段の構造に形成した場合を示したが、２段以上の同心円入れ子式の複数段に展開し折畳む自在な構造に形成した場合には、さらにピストンフェンダー５の高さを低く折畳むことができるため、デッドスペースＹがさらに少なくなり外殻本体２０の高さもさらに低くすることができる。
【００２６】
また、従来例及びこの発明の実施形態例は１段式の乾式ガスホルダーの事例について説明したが、Ｔフェンダーを複数段備えた多段式の乾式ガスホルダーにおいても同様に適用することができ、最上段のピストンフェンダー５を同心円入れ子式の多段に展開折畳み自在な構造に形成すれば、上部のデッドスペースＹをさらに少なくしてガス収容空間Ｘの有効容積比率を高めることができる。
【００２７】
【発明の効果】
請求項１の発明に係る乾式ガスホルダーは、ピストンフェンダーを同心円入れ子式の多段に展開折畳み自在な構造に形成し、該同心円入れ子式の多段に展開折畳み自在な構造の各段のピストンフェンダーは、複数のコルゲートプレートをやや隙間をもたせて重ね合わせて摺動させ、かつ、このコルゲートプレートを支える支持部材は、複数の筒体部材又はコ状部材を遊嵌させて伸縮摺動させるようにし、各段一体の同心円筒体状に組み立てて複数段入れ子状の摺動構造に形成するので、捩れや揺動がなく垂直方向に効率良く滑らかに伸縮摺動し容積の利用効率が向上し、ピストンデッキの最上昇時にはピストンデッキ上部のデッドスペースを少なくでき、ガスを収容する容量に無駄がなくなり有効容積比率が高くなる。また、デッドスペースを少なくすることによって、ガスを収容する容量を変えずに乾式ガスホルダーの外殻本体の高さをその分だけ低く構築することができる。
【００２８】
また、請求項２の発明に係る乾式ガスホルダーは、ピストンフェンダーを同心円入れ子式の多段に展開折畳み自在な構造に形成し、さらにこのピストンフェンダーを展開させる吊上げ装置及び折畳む収縮装置を設け、上記吊上げ装置は、ピストンフェンダー上端部に設けた滑車と、外殻本体外部の屋根上等に設けた滑車と、一方端を屋根に固定してこれらの滑車間に張設したワイヤと、ワイヤの他方端に取付けたカウンターウエイトとから形成し、このカウンターウエイトの荷重で、上記多段のピストンフェンダーを吊り引き上げて展開させるように形成し、また上記収縮装置は、ピストンフェンダー上端部に設けた係合片と、この係合片と対応する位置の外殻本体内上端部に設けたストッパーとから形成し、上記係合片をストッパーに当接させて、ガス圧によるピストンデッキの浮上力で上記多段のピスンフェンダーを押し下げ収縮させて折畳むように形成したので、ピストンフェンダーを繰り返し滑らかに安全確実に展開しかつ折畳むことができる。また、ピストンフェンダーを展開する力と折畳む力は、外殻本体外部のカウンターウエイトで引き上げるため荷重負担が少なくピストンデッキが昇降する際の大きな抵抗や妨げとなることがないので、所定のガス圧力を保持しながら円滑にピストンデッキを昇降させることができる。
【００２９】
【図面の簡単な説明】
【図１】  この発明に係る乾式ガスホルダーの全体側断面説明図である。
【図２】  図１のピストンフェンダー部分の詳細を一部欠除して示した斜視説明図である。
【図３】  従来例の乾式ガスホルダーの全体側断面説明図である。
【符号の説明】
１  底板
１０１  底板
２  側板
１０２  側板
３  屋根
１０３  屋根
４  ピストンデッキ
１０４  ピストンデッキ
５  ピストンフェンダー
１０５  ピストンフェンダー
５Ａ  上段ピストンフェンダー
５Ｂ  下段ピストンフェンダー
６  シール材
１０６  シール材
７  ガス入口
１０７  ガス入口
８  コルゲートプレート
１０８  コルゲートプレート
８Ａ  上段コルゲートプレート
８Ｂ  下段コルゲートプレート
９  支柱
１０９  支柱
９Ａ  上段支柱
９Ｂ  下段支柱
１０  斜材
１１０  斜材
１１  ワイヤ
１１１  ワイヤ
１２  滑車
１１２  滑車
１３  カウンターウエイト
１１３  平衡装置
１４  係合片
Ｘ，ｘ  ガス収容空間
１５  ストッパー
Ｙ，ｙ  デッドスペース
１６  ウエイト支持架台
１７  アングル部材
１８  支持部材
１１８  支持部材
１９  取付部材
２０  外殻本体
１２０  外殻本体
２１  吊上げ装置
２２  収縮装置
【図１】
0003852079.tif 000002
【図２】
0003852079.tif 000003
【図３】
0003852079.tif 000004